(57)【特許請求の範囲】
【請求項１】
水平出力トランジスタとダンパーダイオード、共振コンデンサと水平偏向コイル、Ｓ字コンデンサを有し、Ｓ字コンデンサと並列にダイオードを接続すると共に、ダンパーダイオードと並列にサージアブソーバーを接続する事を特徴とする水平偏向回路。
【請求項２】
ダンパーダイオードと共振コンデンサと水平出力トランジスタのコレクターエミッタ間が並列に接続され、Ｓ字補正コンデンサと偏向コイルの水平巻線が直列に接続され、この直列回路が前記の並列回路に並列に接続されると共に、Ｓ字補正コンデンサと並列に接続されたダイオード、及びダンパーダイオードと並列に接続されたサーバアブソーバーを有する水平偏向回路。
【請求項３】
水平出力トランジスタとダンパーダイオード、共振コンデンサと水平偏向コイル、Ｓ字コンデンサを有し、Ｓ字コンデンサと並列にダイオードを接続すると共に、ダンパーダイオードと並列にサージアブソーバーを接続、過電流保護回路を有する事を特徴とする水平偏向回路。
【請求項４】
ダンパーダイオードと共振コンデンサと水平出力トランジスタのコレクターエミッタ間が並列に接続され、Ｓ字補正コンデンサと偏向コイルの水平巻線が直列に接続され、この直列回路が前記の並列回路に並列に接続されると共に、Ｓ字補正コンデンサと並列に接続されたダイオード、及びダンパーダイオードと並列に接続されたサーバアブソーバーを有し、フライバックトランスの１次巻線に直列に接続された過電流保護回路を有する水平偏向回路。
【請求項５】
水平出力トランジスタと２組のダンパーダイオード及び２組の共振コンデンサ、水平偏向コイル、Ｓ字コンデンサを有し、Ｓ字コンデンサと並列にダイオードを接続すると共に、第２のダンパーダイオードと並列にサージアブソーバーを接続する事を特徴とする水平偏向回路。
【請求項６】
ダンパーダイオードと共振コンデンサが並列に接続された第１、第２の並列回路と水平出力トランジスタ、Ｓ字コンデンサ、ピンクッション補正用コイルを有し、上記第１、第２の並列回路が直列に接続されると共に、ピンクッション補正用変調コイルが上記第１、第２の並列回路の中点と変調源の間に接続され、またＳ字補正コンデンサと偏向コイルの水平巻線が直列に接続されると共に、この直列回路が水平出力トランジスタのコレクタと第１、第２の並列回路の中点に接続され、Ｓ字補正コンデンサと並列に接続されたダイオード、及び第２のダンパーダイオードと並列に接続されたサージアブソーバーを有する水平偏向回路。
【請求項７】
水平出力トランジスタと２組のダンパーダイオード及び２組の共振コンデンサ、水平偏向コイル、Ｓ字コンデンサを有し、Ｓ字コンデンサと並列にダイオードを接続すると共に、第２のダンパーダイオードと並列にサージアブソーバーを接続、過電流保護回路とフライバックパルス検出回路を有する事を特徴とする水平偏向回路。
【請求項８】
ダンパーダイオードと共振コンデンサが並列に接続された第１、第２の並列回路と水平出力トランジスタ、Ｓ字コンデンサ、ピンクッション補正用コイルを有し、上記第１、第２の並列回路が直列に接続されると共に、ピンクッション補正用変調コイルが上記第１、第２の並列回路の中点と変調源の間に接続され、またＳ字補正コンデンサと偏向コイルの水平巻線が直列に接続されると共に、この直列回路が水平出力トランジスタのコレクタと第１、第２の並列回路の中点に接続され、Ｓ字補正コンデンサと並列に接続されたダイオード、及び第２のダンパーダイオードと並列に接続されたサージアブソーバーを有し、フライバックトランスの１次巻線に直列に接続された過電流保護回路、及びフライバックパルス検出回路を有する水平偏向回路。
【請求項９】
水平出力トランジスタと２組のダンパーダイオード及び２組の共振コンデンサ、水平偏向コイル、２組のＳ字コンデンサを有し、それぞれのＳ字コンデンサと並列に２組のダイオードを接続する事と共に、第２のダンパーダイオードと並列にサージアブソーバーを接続する事を特徴とする水平偏向回路。
【請求項１０】
ダンパーダイオードと共振コンデンサが並列に接続された第１、第２の並列回路と水平出力トランジスタ、第１、第２のＳ字補正コンデンサ、ピンクッション補正用変調コイル及びインナーピンクッション補正用コイルを有し、上記第１及び第２の並列回路が直列に接続されて水平出力トランジスタのコレクタ、エミッタ間に接続されると共に、ピンクッション補正用変調コイルが第１、第２の並列回路の中点と変調源の間に接続され、また、第１、第２のＳ字補正コンデンサと偏向ヨークの水平巻線が直列に接続されると共に、この直列回路が水平出力トランジスタのコレクタと第１、第２の並列回路の中点に接続され、第１、第２のＳ字補正コンデンサの中点と変調源の間にインナーピン補正用コイルが接続され、第１、第２のＳ字補正コンデンサに並列に接続されたダイオード、及び第２のダンパーダイオードと並列に接続されたサージアブソーバーを有する水平偏向回路。
【請求項１１】
水平出力トランジスタと２組のダンパーダイオード及び２組の共振コンデンサ、水平偏向コイル、２組のＳ字コンデンサを有し、それぞれのＳ字コンデンサと並列に２組のダイオードを接続する事と共に、第２のダンパーダイオードと並列にサージアブソーバーを接続、過電流保護回路とフライバックパルス検出回路を有する事を特徴とする水平偏向回路。
【請求項１２】
ダンパーダイオードと共振コンデンサが並列に接続された第１、第２の並列回路と水平出力トランジスタ、第１、第２のＳ字補正コンデンサ、ピンクッション補正用変調コイル及びインナーピンクッション補正用コイルを有し、上記第１及び第２の並列回路が直列に接続されて水平出力トランジスタのコレクタ、エミッタ間に接続されると共に、ピンクッション補正用変調コイルが第１、第２の並列回路の中点と変調源の間に接続され、また、第１、第２のＳ字補正コンデンサと偏向ヨークの水平巻線が直列に接続されると共に、この直列回路が水平出力トランジスタのコレクタと第１、第２の並列回路の中点に接続され、第１、第２のＳ字補正コンデンサの中点と変調源の間にインナーピン補正用コイルが接続され、第１、第２のＳ字補正コンデンサに並列に接続されたダイオード、及び第２のダンパーダイオードと並列に接続されたサージアブソーバーを有し、フライバックトランスの１次巻線に直列に接続された過電流保護回路、及びフライバックパルス検出回路を有する水平偏向回路。
【発明の詳細な説明】
【０００１】
【発明の属する技術分野】
本発明はテレビジョン受像機の水平偏向回路に関する。
【０００２】
【従来の技術】
従来の技術としては特開平７−２２６８５４の様な構成が提案されており、図８に前記公報における水平出力トランジスタ保護回路を示す。
【０００３】
図８において１は水平出力トランジスタ、２１は水平発振回路、２２は水平ドライブトランジスタ、２３は水平ドライブトランス電源、２４は水平ドライブトランス、２５は水平出力回路、２６は保護回路、２７は電圧検出回路である。
【０００４】
このような回路構成において、２７の電圧検出回路により、２１の水平発振回路の電源電圧を検出し、２６の保護回路を動作させて２２の水平ドライブトランジスタのコレクタ電流を制限することにより、１の水平出力トランジスタを保護する事が出来る。
【０００５】
【発明が解決しようとする課題】
しかしながら、従来の構成では２１の水平発振回路の電源電圧が安定、不安定を繰り返したり、同期が乱れたりしてドライブパルスに欠落が発生した場合は、水平出力トランジスタを保護することが出来ない。また、水平出力トランジスタを保護したとしても、ダンパーダイオードが破壊する可能性もある。更に、回路が複雑であるためコストが高くなるという欠点を有していた。
【０００６】
【課題を解決するための手段】
上記課題を解決するために、本発明ではＳ字コンデンサと並列にダイオードを接続、水平出力トランジスタを保護する。またダンパーダイオードにかかる過電圧をサージアブソーバーで吸収するように回路を構成する。
【０００７】
【発明の実施の形態】
本発明における第１の発明は、水平出力トランジスタとダンパーダイオード、共振コンデンサと水平偏向コイル、Ｓ字コンデンサを有し、Ｓ字コンデンサと並列にダイオードを接続し、ダンパーダイオードと並列にサージアブソーバーを接続する事を特徴とする水平偏向回路で、水平ドライブパルスに欠落が発生した場合、水平出力トランジスタのコレクタに発生する高圧パルスを軽減し、水平出力トランジスタの破壊を防止する。またダンパーダイオードにかかる過電圧をサージアブソーバーで吸収して、ダンパーダイオードの破壊を防止する。
【０００８】
さらに、第２の発明は、ダンパーダイオードと共振コンデンサと水平出力トランジスタのコレクター〜エミッタ間が並列に接続され、Ｓ字補正コンデンサと偏向コイルの水平巻線が直列に接続され、この直列回路が前記の並列回路に並列に接続されると共に、Ｓ字補正コンデンサと並列に接続されたダイオード、ダンパーダイオードと並列に接続されたサージアブソーバーを有する水平偏向回路で、水平ドライブパルスに欠落が発生した場合、水平出力トランジスタのコレクタに発生する高圧パルスを軽減し、水平出力トランジスタの破壊を防止する。また、ダンパーダイオードにかかる過電圧をサージアブソーバーで吸収して、ダンパーダイオードの破壊を防止する。
【０００９】
さらに、第３の発明は、水平出力トランジスタとダンパーダイオード、共振コンデンサと水平偏向コイル、Ｓ字コンデンサを有し、Ｓ字コンデンサと並列にダイオードを接続すると共に、ダンパーダイオードと並列にサージアブソーバーを接続、過電流保護回路を有する事を特徴とする水平偏向回路で、水平ドライブパルスに欠落が発生した場合、水平出力トランジスタのコレクタに発生する高圧パルスを軽減し、水平出力トランジスタの破壊を防止する。またダンパーダイオードにかかる過電圧をサージアブソーバーで吸収して、ダンパーダイオードの破壊を防止すると共に、サージアブソーバーに過電流が流れた場合、過電流保護回路を用いて回路を停止する。
【００１０】
さらに、第４の発明は、ダンパーダイオードと共振コンデンサと水平出力トランジスタのコレクター〜エミッタ間が並列に接続され、Ｓ字補正コンデンサと偏向コイルの水平巻線が直列に接続され、この直列回路が前記の並列回路に並列に接続されると共に、Ｓ字補正コンデンサと並列に接続されたダイオード、及びダンパーダイオードと並列に接続されたサーバアブソーバーを有し、フライバックトランスの１次巻線に過電流保護回路を有する水平偏向回路で、水平ドライブパルスに欠落が発生した場合、水平出力トランジスタのコレクタに発生する高圧パルスを軽減し、水平出力トランジスタの破壊を防止する。またダンパーダイオードにかかる過電圧をサージアブソーバーで吸収して、ダンパーダイオードの破壊を防止すると共に、サージアブソーバーに過電流が流れた場合、過電流保護回路を用いて回路を停止する。
【００１１】
さらに、第５の発明は、水平出力トランジスタと２組のダンパーダイオード及び２組の共振コンデンサ、水平偏向コイル、Ｓ字コンデンサを有し、Ｓ字コンデンサと並列にダイオードを接続し、第２のダンパーダイオードと並列にサージアブソーバーを接続する事を特徴とする水平偏向回路で、水平ドライブパルスに欠落が発生した場合、水平出力トランジスタのコレクタに発生する高圧パルスを軽減し、水平出力トランジスタの破壊を防止する。また、第２のダンパーダイオードにかかる過電圧をサージアブソーバーで吸収して、第２のダンパーダイオードの破壊を防止する。
【００１２】
さらに、第６の発明は、ダンパーダイオードと共振コンデンサが並列に接続された第１、第２の並列回路と水平出力トランジスタ、Ｓ字コンデンサ、ピンクッション補正用コイルを有し、上記第１、第２の並列回路が直列に接続されると共に、ピンクッション補正用変調コイルが上記第１、第２の並列回路の中点と変調源の間に接続され、またＳ字補正コンデンサと偏向コイルの水平巻線が直列に接続されると共に、この直列回路が水平出力トランジスタのコレクタと第１、第２の並列回路の中点に接続され、Ｓ字補正コンデンサと並列に接続されたダイオード、第２のダンパーダイオードと並列に接続されたサージアブソーバーを有する水平偏向回路で、水平ドライブパルスに欠落が発生した場合、水平出力トランジスタのコレクタに発生する高圧パルスを軽減し、水平出力トランジスタの破壊を防止する。また、第２のダンパーダイオードにかかる過電圧をサージアブソーバーで吸収して、第２のダンパーダイオードの破壊を防止する。
【００１３】
さらに、第７の発明は、水平出力トランジスタと２組のダンパーダイオード及び２組の共振コンデンサ、水平偏向コイル、Ｓ字コンデンサを有し、Ｓ字コンデンサと並列にダイオードを接続すると共に、第２のダンパーダイオードと並列にサージアブソーバーを接続、過電流保護回路を有する事を特徴とする水平偏向回路で、水平ドライブパルスに欠落が発生した場合、水平出力トランジスタのコレクタに発生する高圧パルスを軽減し、水平出力トランジスタの破壊を防止する。また第２のダンパーダイオードにかかる過電圧をサージアブソーバーで吸収して、第２のダンパーダイオードの破壊を防止すると共に、サージアブソーバーに過電流が流れた場合、過電流保護回路とフライバックバルス検出回路を用いて回路を停止する。
【００１４】
さらに、第８の発明は、ダンパーダイオードと共振コンデンサが並列に接続された第１、第２の並列回路と水平出力トランジスタ、Ｓ字コンデンサ、ピンクッション補正用コイルを有し、上記第１、第２の並列回路が直列に接続されると共に、ピンクッション補正用変調コイルが上記第１、第２の並列回路の中点と変調源の間に接続され、またＳ字補正コンデンサと偏向コイルの水平巻線が直列に接続されると共に、この直列回路が水平出力トランジスタのコレクタと第１、第２の並列回路の中点に接続され、Ｓ字補正コンデンサと並列に接続されたダイオード、及び第２のダンパーダイオードと並列に接続されたサーバアブソーバーを有し、フライバックトランスの１次巻線に過電流保護回路を有する水平偏向回路で、水平ドライブパルスに欠落が発生した場合、水平出力トランジスタのコレクタに発生する高圧パルスを軽減し、水平出力トランジスタの破壊を防止する。また、第２のダンパーダイオードにかかる過電圧をサージアブソーバーで吸収して、第２のダンパーダイオードの破壊を防止すると共に、サージアブソーバーに過電流が流れた場合、過電流保護回路とフライバックバルス検出回路を用いて回路を停止する。
【００１５】
さらに、第９の発明は、水平出力トランジスタと２組のダンパーダイオード及び２組の共振コンデンサ、水平偏向コイル、２組のＳ字コンデンサを有し、それぞれのＳ字コンデンサと並列に２組のダイオードを接続し、第２のダンパーダイオードと並列にサージアブソーバーを接続する事を特徴とする水平偏向回路で、水平ドライブパルスに欠落が発生した場合、水平出力トランジスタのコレクタに発生する高圧パルスを軽減し、水平出力トランジスタの破壊を防止する。また、第２のダンパーダイオードにかかる過電圧をサージアブソーバーで吸収して、第２のダンパーダイオードの破壊を防止する。
【００１６】
さらに、第１０の発明は、ダンパーダイオードと共振コンデンサが並列に接続された第１、第２の並列回路と水平出力トランジスタ、第１、第２のＳ字補正コンデンサ、ピンクッション補正用変調コイル及びインナーピンクッション補正用コイルを有し、上記第１及び第２の並列回路が直列に接続されて水平出力トランジスタのコレクタ、エミッタ間に接続されると共に、ピンクッション補正用変調コイルが第１、第２の並列回路の中点と変調源の間に接続され、また、第１、第２のＳ字補正コンデンサと偏向ヨークの水平巻線が直列に接続されると共に、この直列回路が水平出力トランジスタのコレクタと第１、第２の並列回路の中点に接続され、第１、第２のＳ字補正コンデンサの中点と変調源の間にインナーピン補正用コイルが接続され、第１、第２のＳ字補正コンデンサに並列に接続されたダイオード、第２のダンパーダイオードと並列に接続されたサージアブソーバーを有する水平偏向回路で、水平ドライブパルスに欠落が発生した場合、水平出力トランジスタのコレクタに発生する高圧パルスを軽減し、水平出力トランジスタの破壊を防止する。また、第２のダンパーダイオードにかかる過電圧をサージアブソーバーで吸収して、第２のダンパーダイオードの破壊を防止する。
【００１７】
さらに、第１１の発明は、水平出力トランジスタと２組のダンパーダイオード及び２組の共振コンデンサ、水平偏向コイル、２組のＳ字コンデンサを有し、それぞれのＳ字コンデンサと並列に２組のダイオードを接続する事と共に、第２のダンパーダイオードと並列にサージアブソーバーを接続、過電流保護回路を有する事を特徴とする水平偏向回路で、水平ドライブパルスに欠落が発生した場合、水平出力トランジスタのコレクタに発生する高圧パルスを軽減し、水平出力トランジスタの破壊を防止する。また、第２のダンパーダイオードにかかる過電圧をサージアブソーバーで吸収して、第２のダンパーダイオードの破壊を防止すると共に、サージアブソーバーに過電流が流れた場合、過電流保護回路とフライバックバルス検出回路を用いて回路を停止する。
【００１８】
さらに、第１２の発明は、ダンパーダイオードと共振コンデンサが並列に接続された第１、第２の並列回路と水平出力トランジスタ、第１、第２のＳ字補正コンデンサ、ピンクッション補正用変調コイル及びインナーピンクッション補正用コイルを有し、上記第１及び第２の並列回路が直列に接続されて水平出力トランジスタのコレクタ、エミッタ間に接続されると共に、ピンクッション補正用変調コイルが第１、第２の並列回路の中点と変調源の間に接続され、また、第１、第２のＳ字補正コンデンサと偏向ヨークの水平巻線が直列に接続されると共に、この直列回路が水平出力トランジスタのコレクタと第１、第２の並列回路の中点に接続され、第１、第２のＳ字補正コンデンサの中点と変調源の間にインナーピン補正用コイルが接続され、第１、第２のＳ字補正コンデンサに並列に接続されたダイオード、及び第２のダンパーダイオードと並列に接続されたサーバアブソーバーを有し、フライバックトランスの１次巻線に過電流保護回路を有する水平偏向回路で、水平ドライブパルスに欠落が発生した場合、水平出力トランジスタのコレクタに発生する高圧パルスを軽減し、水平出力トランジスタの破壊を防止する。また、第２のダンパーダイオードにかかる過電圧をサージアブソーバーで吸収して、第２のダンパーダイオードの破壊を防止すると共に、サージアブソーバーに過電流が流れた場合、過電流保護回路とフライバックバルス検出回路を用いて回路を停止する。
【００１９】
以下、本発明の実施例における水平偏向回路について図面を参照しながら説明する。
【００２０】
（実施の形態１）
図１は本発明の第１の実施の形態における水平偏向回路の回路図を示す。図１において、符号１は水平出力トランジスタ、２は直流電源、３はフライバックトランスの一次巻線、４はダンパーダイオード、６は共振コンデンサ、１１はＳ字補正コンデンサ、１４は偏向コイルの水平巻線、１６はダイオード、１８はサージアブソーバーである。
【００２１】
以上のように構成された回路構成について、以下にその動作を説明する。
【００２２】
まず、直流電源２からフライバックトランスの１次巻線３を通して電源電圧が供給され、水平出力トランジスタ１のベースには水平ドライブ回路より水平周期のドライブ信号が入力され、水平出力トランジスタ１をスイッチングすることにより、水平偏向回路として動作する。
【００２３】
ここで何らかの原因により、１の水平出力トランジスタのドライブパルスが図７の様に欠落した場合、１１のＳ字補正コンデンサの両端電圧は図７の様にパラボラ波形の尖頭部付近で安定し、欠落後にドライブパルスが再開した時、１１のＳ字補正コンデンサに蓄積した電圧は１４の偏向コイルの水平巻線を通して放電される。１６のダイオードがない場合、１１のＳ字補正コンデンサの両端電圧は１４の偏向コイルの水平巻線のインダクタンス成分によりＧＮＤレベル以下となり、過渡的に逆方向に充電される事になる。よって等価的に２の直流電源が上昇したのと同一になり、１４の偏向コイルの水平巻線に流れる電流が増加するため、帰線期間に発生する１の水平出力トランジスタのコレクタ〜エミッタ電圧が上昇する。本発明では１６のダイオードをＳ字補正コンデンサとＧＮＤ間に接続しているため、ドライブパルスの欠落後に発生するＳ字補正コンデンサの両端電圧が反転せず、最低ＧＮＤレベルまでとなる。これにより、１の水平出力トランジスタのコレクタ〜エミッタ電圧の上昇をある程度抑制することが出来る。また、１８のサージアブソーバーの働きにより、１の水平出力トランジスタのコレクタ〜エミッタ電圧は、Ｖｚの電圧以上には上昇しない。１８のサージアブソーバーを選定し、Ｖｚの電圧が通常動作時の１の水平出力トランジスタのコレクタ〜エミッタ電圧よりも高く、かつ、１の水平出力トランジスタ及び、４のダンパーダイオードの耐電圧よりも低くなるように設計すると、１の水平出力トランジスタ及び４のダンパーダイオードの破壊を防止することが出来る。
【００２４】
（実施の形態２）
以下、本発明の第２の実施の形態における水平偏向回路について図２を参照しながら説明するが、実施の形態１と同一の部分については説明を省略する。図２は本発明の第２の実施の形態における回路構成図を示す。
【００２５】
図２において、１９は過電流保護回路である。このように構成された水平偏向回路において、実施の形態１で説明したようなドライブパルスの欠落が発生し、１１のＳ字補正コンデンサの両端電圧が反転しようとした場合、１６のダイオードをＳ字補正コンデンサの両端に並列に接続している為、１１のＳ字補正コンデンサに蓄積した電圧は１６のダイオードによって短絡される。これにより、１の水平出力トランジスタのコレクタ〜エミッタ電圧の上昇をある程度抑制することが出来る。また、１８のサージアブソーバーの働きにより、１の水平出力トランジスタのコレクタ〜エミッタ電圧は、Ｖｚの電圧以上には上昇しない。１８のサージアブソーバーを選定し、Ｖｚの電圧が通常動作時の１の水平出力トランジスタのコレクタ〜エミッタ電圧よりも高く、かつ、１の水平出力トランジスタ及び、４のダンパーダイオードの耐電圧よりも低くなるように設計すると、１の水平出力トランジスタ及び４のダンパーダイオードの破壊を防止することが出来る。また、水平ドライブパルスが不連続で上記の様な回路の動きが繰り返される場合、１８のサージアブソーバーには繰り返し電流が流れる事になる。この様な場合、１８のサージアブソーバーが発熱し、発煙等の不具合が出る可能性があるが、この場合は１９の過電流保護回路により、通常より消費電流が多くなったことを検出し、回路を遮断する。
【００２６】
（実施の形態３）
以下、本発明の第３の実施の形態における水平偏向回路について図３を参照しながら説明するが、実施の形態１、実施の形態２と同一の部分については説明を省略する。図３は本発明の第３の実施の形態における回路構成図を示す。
【００２７】
図３において、５は第２のダンパーダイオード、７は第２の共振コンデンサ、８はピンクッション補正用変調コイル、９はコンデンサ、１０は変調源である。このように構成された水平偏向回路において、実施の形態１で説明したようなドライブパルスの欠落が発生し、１１のＳ字補正コンデンサの両端電圧が反転しようとした場合、１６のダイオードをＳ字補正コンデンサの両端に並列に接続している為、１１のＳ字補正コンデンサに蓄積した電圧は１６のダイオードによって短絡される。よって４のダンパーダイオードの両端に発生するパルス電圧の上昇を防止出来、１の水平出力トランジスタの破壊を防止する事が出来る。また、１８のサージアブソーバーの動作電圧を、回路が通常動作しているときには働かず、５の第２のダンパーダイオードの耐圧以下に選ぶと、ドライブパルスの欠落が発生した場合、５の第２のダンパーダイオードの両端に発生する電圧は、１８のサージアブソーバーで吸収するため、５の第２のダンパーダイオードの破壊を防止することが出来る。
【００２８】
（実施の形態４）
以下、本発明の第４の実施の形態における水平偏向回路について図４を参照しながら説明するが、実施の形態１、実施の形態２、実施の形態３と同一の部分については説明を省略する。図４は本発明の第４の実施の形態における回路構成図を示す。
【００２９】
図４において、２０はフライバックパルス検出回路である。このように構成された水平偏向回路において、実施の形態１で説明したようなドライブパルスの欠落が発生した場合、実施の形態３と同様に、１の水平出力トランジスタ及び５の第２のダンパーダイオードの破壊を防止することが出来る。また、水平ドライブパルスが不連続で上記の様な回路の動きが繰り返される場合、１８のサージアブソーバーには繰り返し電流が流れる事になる。この様な場合、１８のサージアブソーバーが発熱し、発煙等の不具合が出る可能性があるが、この場合は１９の過電流保護回路により、通常より消費電流が多くなったことを検出し、回路を遮断する。しかし、１８のサージアブソーバーは５の第２のダンパーダイオードと並列に入っており、１８のサージアブソーバーに連続的に電流が流れるような状態になっても、実施の形態２の場合に比べて消費電流の増加は少ない。よって、１９の過電流保護回路が働かない場合がある。このため、２０のフライバックパルス検出回路を用い、１８のサージアブソーバーに連続的に電流が流れるような状態になった場合は、５の第２のダンパーダイオードの両端のフライバックパルスが消えることを利用して、１９の過電流保護回路を働かせ、回路を遮断する。
【００３０】
（実施の形態５）
以下、本発明の第５の実施の形態における水平偏向回路について図５を参照しながら説明するが、実施の形態１から実施の形態４と同一の部分については説明を省略する。図５は本発明の第５の実施の形態における回路構成図を示す。
【００３１】
図５において、１２は第２のＳ字補正コンデンサ、１７はダイオード、１５はインナーピン補正用コイルである。ブラウン管の大型化、平面化に伴い、インナーピン歪みの補正が必要である場合、Ｓ字補正コンデンサを二つに分割して直列接続として、中点から１５のインナーピン補正用コイルを設ける。このように構成された水平偏向回路において、実施の形態１で説明したようなドライブパルスの欠落が発生した場合、１１のＳ字補正コンデンサ及び１２の第２のＳ字補正コンデンサの両方の両端電圧が反転する。よって１６のダイオードで１１のＳ字補正コンデンサの両端電圧が反転するのを防止し、１７のダイオードで１２の第２のＳ字補正コンデンサの両端電圧が反転するのを防止する。このようにして４のダンパーダイオードの両端に発生するパルス電圧の上昇を防止出来、１の水平出力トランジスタの破壊を防止する事が出来る。また、１８のサージアブソーバーの動作電圧を、回路が通常動作しているときには働かず、５の第２のダンパーダイオードの耐圧以下に選ぶと、ドライブパルスの欠落が発生した場合、５の第２のダンパーダイオードの両端に発生する電圧は、１８のサージアブソーバーで吸収するため、５の第２のダンパーダイオードの破壊を防止することが出来る。
【００３２】
（実施の形態６）
以下、本発明の第６の実施の形態における水平偏向回路について図６を参照しながら説明するが、実施の形態１から実施の形態５と同一の部分については説明を省略する。図６は本発明の第６の実施の形態における回路構成図を示す。
【００３３】
図６において、実施例１で説明したようなドライブパルスの欠落が発生した場合、実施例５と同様に、１の水平出力トランジスタ及び５の第２のダンパーダイオードの破壊を防止することが出来る。また、水平ドライブパルスが不連続で上記の様な回路の動きが繰り返される場合、１８のサージアブソーバーには繰り返し電流が流れる事になる。この様な場合、１８のサージアブソーバーが発熱し、発煙等の不具合が出る可能性があるが、この場合は１９の過電流保護回路により、通常より消費電流が多くなったことを検出し、回路を遮断する。しかし、１８のサージアブソーバーは５の第２のダンパーダイオードと並列に入っており、１５のインナーピン補正用コイルがあるため、１８のサージアブソーバーに連続的に電流が流れるような状態になっても、実施の形態４の場合に比べて消費電流の増加はさらに少ない。よって、１９の過電流保護回路が働かない場合がある。このため、２０のフライバックパルス検出回路を用い、１８のサージアブソーバーに連続的に電流が流れるような状態になった場合は、５の第２のダンパーダイオードの両端のフライバックパルスが消えることを利用して、１９の過電流保護回路を働かせ、回路を遮断する。
【００３４】
【発明の効果】
本発明は上記構成により、ドライブパルスの欠落による水平出力トランジスタやダンパーダイオードの破壊を防止する事ができる。
【図面の簡単な説明】
【図１】本発明の第１の実施の形態における水平偏向回路の回路図
【図２】本発明の第２の実施の形態における水平偏向回路の回路図
【図３】本発明の第３の実施の形態における水平偏向回路の回路図
【図４】本発明の第４の実施の形態における水平偏向回路の回路図
【図５】本発明の第５の実施の形態における水平偏向回路の回路図
【図６】本発明の第６の実施の形態における水平偏向回路の回路図
【図７】ドライブパルスが欠落した場合のＳ字補正コンデンサの両端電圧を示す図
【図８】従来の水平偏向回路例の回路図
【符号の説明】
１  水平出力トランジスタ
２  直流電源
３  フライバックトランスの一次巻線
４  ダンパーダイオード
５  第２のダンパーダイオード
６  共振コンデンサ
７  第２の共振コンデンサ
８  ピンクッション補正用変調コイル
９  コンデンサ
１０  変調源
１１  Ｓ字補正コンデンサ
１２  第２のＳ字補正コンデンサ
１４  偏向コイルの水平巻線
１５  インナーピン補正用コイル
１６  ダイオード
１７  ダイオード
１８  サージアブーソーバー
１９  過電流保護回路
２０  フライバックパルス検出回路
【図１】
0003838153.tif 000002
【図２】
0003838153.tif 000003
【図３】
0003838153.tif 000004
【図４】
0003838153.tif 000005
【図５】
0003838153.tif 000006
【図６】
0003838153.tif 000007
【図７】
0003838153.tif 000008
【図８】
0003838153.tif 000009